(57)【特許請求の範囲】
【請求項１】
複数の記録媒体に記録されているデータを同時に再生するマルチ再生装置において、
同時に再生されるべき複数系統のデータが記録されているマスタ記録媒体が着脱自在であり、装着された前記マスタ記録媒体に記録されている各系統のデータを他の別々の記録媒体に記録する複写動作を行うための手段を備えたことを特徴とするマルチ再生装置。
【請求項２】
前記複写動作を行うに先立って前記マスタ記録媒体に記録されている複写許可回数データを読み取り、この複写許可回数データの値によっては前記複写動作を行わないこと、及び、前記マスタ記録媒体に記録されている前記複写許可回数データの値を前記複写動作を行う毎に書き換えることを特徴とする請求項１に記載のマルチ再生装置。
【発明の詳細な説明】
【０００１】
【発明の属する技術分野】
本発明は、複数の記録媒体に記録されているデータを同時に再生するマルチ再生装置に関するものである。
【０００２】
【従来の技術】
特開２００１−１４８３０の公報には、複数の記録媒体に記録されているデータを同時に再生するマルチ再生装置が開示されている。このマルチ再生装置によれば、複数の記録媒体に記録されている情報を連携し１つの有機的なアプリケーションを提供することによって、記録媒体の容量や読み出し速度などが制約となって実現できなかった複雑なアプリケーションを実現することができるようになる。
【０００３】
【発明が解決しようとする課題】
しかしながら、従来は、マルチ再生装置で使用される複数の記録媒体をそのまま販売していたため、マルチ再生装置で使用される記録媒体の販売コストが高くなるという問題があった。
【０００４】
そこで、本発明は、マルチ再生装置で使用される記録媒体の販売コストを抑制することができるようにしたマルチ再生装置を提供することを目的とする。
【０００５】
【課題を解決するための手段】
上記の目的を達成するため、本発明では、複数の記録媒体に記録されているデータを同時に再生するマルチ再生装置において、同時に再生されるべき複数系統のデータが記録されているマスタ記録媒体が着脱自在であり、装着された前記マスタ記録媒体に記録されている各系統のデータを他の別々の記録媒体に記録する複写動作を行うための手段を備えている。
【０００６】
尚、前記複写動作を行うに先立って前記マスタ記録媒体に記録されている複写許可回数データを読み取り、この複写許可回数データの値によっては前記複写動作を行わないようにするとともに、前記マスタ記録媒体に記録されている前記複写許可回数データの値を前記複写動作を行う毎に書き換えるようにしてもよい。
【０００７】
【発明の実施の形態】
以下に本発明の実施形態を図面を参照しながら説明する。図１は本発明の一実施形態であるマルチ再生装置１００のブロック図である。第１のディスク装填部１、第２のディスク装填部２はそれぞれ円板状の記録媒体であるディスクが着脱自在になっている。第１の記録再生部３、第２の記録再生部４はそれぞれ第１のディスク装填部１、第２のディスク装填部２に装着されたディスクに記録されているデータの再生、及び、第１のディスク装填部１、第２のディスク装填部２に装着されたディスクへのデータの記録をコントロール部１５による制御の下で行う。
【０００８】
第１の記録再生部３、第２の記録再生部４によってディスクから再生されたデータはそれぞれ第１のバッファ５、第２のバッファ６を介して第１のデコード部７、第２のデコード部８に供給される。第１のバッファ５は第１の記録再生部３がディスクからデータを読み出す速度とデコード部７、伸長部１５での処理速度との差を吸収するために設けられたメモリである。第２のバッファ６は第２の記録再生部４がディスクからデータを読み出す速度とデコード部８での処理速度との差を吸収するために設けられたメモリである。
【０００９】
第１のデコード部７、第２のデコード部８はそれぞれ第１の記録再生部３、第２の記録再生部４によってディスクから再生されたデータを復号化する。第１のＤ／Ａ変換部９、第２のＤ／Ａ変換部１０はそれぞれ第１のデコード部７、第２のデコード部８で復号化されたデータをアナログ信号に変換する。
【００１０】
第１の映像／音声分離部１１、第２の映像／音声分離部１２は、それぞれＤ／Ａ変換部９、１０から出力される信号を映像信号と音声信号とに分離する。映像合成出力部１３は第１の映像／音声分離部１１及び第２の映像／音声分離部１２から出力される映像信号を合成して当マルチ再生装置１００に接続された表示装置２００に出力する。音声合成出力部１４は第１の映像／音声分離部１１及び第２の映像／音声分離部１２から出力される音声信号を合成して当マルチ再生装置１００に接続されたスピーカ３００に出力する。
【００１１】
伸長部１５は後述するマスタディスクに記録されているデータに施されている圧縮に対する伸長を行うものであり、後述する複写モードでは、第１のディスク装填部１に装填されているマスタディスクから第１のディスク記録再生部３によって再生されたデータが伸長部１５で伸長された後に第２のディスク想定部２に装着されているディスクに第２のディスク記録再生部４によって記録される。
【００１２】
操作部１６は操作キーを備えており、ユーザは操作部１６上で適切な操作を行うことにより当マルチ再生装置１００に各種の命令を入力することができる。コントロール部１７は、操作部１６からユーザによって入力される命令に応じて当マルチ再生装置１００を構成する各部の動作を統括的に制御する。表示部１８はコントロール部１７による制御の下でユーザに対するメッセージなどを表示する。
【００１３】
本実施形態のマルチ再生装置１００には通常モードと複写モードとが存在する。ユーザは操作部１６上で所定の操作を行うことによって通常モードと複写モードとの切り替えを行うことができる。通常モードでは、操作部１６を介してユーザから再生命令が入力されると、第１のディスク装填部１に装着されているディスクに記録されているデータと第２のディスク装填部２に装着されているディスクに記録されているデータとが同時に再生される。
【００１４】
複写モードにおける動作について図２に示すフローチャートを用いて説明する。まず、変数ｘの値を１に初期化する（Ｓ１）。次に、操作部１６を介してユーザから複写実行命令あるいは通常モードへの切り替えを指示する命令が入力されたか否かを判定する（Ｓ２及びＳ３）。複写実行命令が入力されると（Ｓ２のＹｅｓ）、後述するＳ４へ移行する。通常モードへの切り替えを指示する命令が入力されると（Ｓ３のＹｅｓ）、通常モードへ切り替える。
【００１５】
Ｓ４では、第１のディスク装填部１に装着されているディスク上の最内周側に位置するリードイン領域に記録されているデータを読み込み、このデータに基づいて第１のディスク装填部１にマスタディスクが装着されているか否かを判定する。
【００１６】
ここで、マスタディスクについて説明する。図３はマスタディスク４００の記録領域を直線的に示した図である。図３に示すように、マスタディスク４００には、そのデータ領域４００−３に同時に再生されるべき２系統のデータＤ１、Ｄ２がそれぞれ所定の方式で圧縮されて記録されている。また、マスタディスク４００の管理領域４００−２には複写許可回数データが記録されている。さらに、最内周側に位置するリードイン領域４００−１には、当ディスクがマスタディスクであることを示すデータが記録されている。尚、マスタディスク４００は、複写許可回数データが記録されている管理領域４００−２はデータの書き込みが可能であるが、リードイン領域４００−１及びデータ領域４００−３はデータの書き込みが不可能（すなわち、読み出し専用）になっている。
【００１７】
Ｓ４での判定の結果、第１のディスク装填部１にマスタディスクが装着されていないと判定した場合には（Ｓ４のＮｏ）、表示部１８に適切なメッセージを表示することによって、第１のディスク装填部１にマスタディスクを装着してから複写実行命令を入力するようにユーザに対して通知する（Ｓ５）。Ｓ５を行った後は、前述したＳ２へ移行する。
【００１８】
一方、第１のディスク装填部１にマスタディスクが装着されていると判定した場合には（Ｓ４のＹｅｓ）、変数ｘの値が１であるか否かを判定する（Ｓ６）。変数ｘの値が１であれば（Ｓ６のＹｅｓ）、マスタディスクに記録されている複写許可回数データの値が０であるか否かを判定する（Ｓ７）。
【００１９】
複写許可回数データの値が０であれば（Ｓ７のＹｅｓ）、表示部１８に適切なメッセージを表示することによって、第１のディスク装填部１に装着されているマスタディスクに記録されているデータは他の記録媒体への複写することが禁止されている旨をユーザに対して通知する（Ｓ８）。Ｓ８を行った後は、前述したＳ２へ移行する。
【００２０】
一方、変数ｘの値が１でない場合（Ｓ６のＮｏ）、及び、複写許可回数データの値が０でない場合（Ｓ７のＮｏ）には、第２のディスク装填部２に装着されているディスク上の最内周側に位置するリードイン領域に記録されているデータを読み込み、このデータに基づいて第２のディスク装填部２に書き込み可能なディスクが装着されているか否かを判定する（Ｓ９）。
【００２１】
Ｓ９での判定の結果、第２のディスク装填部２に書き込み可能なディスクが装着されていないと判定した場合には（Ｓ９のＮｏ）、表示部１８に適切なメッセージを表示することによって、第２のディスク装填部２に書き込み可能なディスクを装着してから複写実行命令を入力するようにユーザに対して通知する（Ｓ１０）。
【００２２】
一方、第２のディスク装填部２に書き込み可能なディスクが装着されていれば（Ｓ９のＹｅｓ）、第１のディスク装填部１に装着されているマスタディスクに記録されているｘ番目の系統のデータを第１の記録再生部３によって再生し、この再生したデータを伸長部１５によって伸長した後に第２のディスク装填部２に装着されているディスクに第２の記録再生部４によって記録する動作（ｘ番目の系統のデータの複写動作）を行う（Ｓ１１）。尚、図３において、Ｄ１が１番目の系統のデータ、Ｄ２が２番目の系統のデータに相当する。
【００２３】
Ｓ１１を行った後は、変数ｘの値が２であるか否かを判定する（Ｓ１２）。変数ｘの値が２であれば（Ｓ１２のＹｅｓ）、表示部１６に適切なメッセージを表示させることによって、マスタディスクに記録されているデータの他のディスクへの複写が完了したことをユーザに対して通知し（Ｓ１３）、その後、前述したＳ１へ移行する。
【００２４】
一方、変数ｘの値が２でなければ（Ｓ１２のＮｏ）、変数ｘの値を現在よりも１だけ大きくし（Ｓ１４）、第１のディスク装填部１に装着されているマスタディスクに記録されている複写許可回数データを現在よりも１だけ小さな値に書き換え（Ｓ１５）、そして、表示部１８に適切なメッセージを表示することによって、第２のディスク装填部２に装着されているディスクを書き込み可能な別のディスクに交換してから複写実行命令を入力するようにユーザに対して通知する（Ｓ１６）。Ｓ１６を行った後は、前述したＳ２へ移行する。
【００２５】
以上の構成により、本実施形態のマルチ再生装置では、１枚のマスタディスクに記録されている、同時に再生するべき２系統のデータを２枚のディスクに別々に複写することができる。このようなマルチ再生装置の出現により、それぞれ１系統のデータが記録された２枚のディスクを販売する代わりに、同時に再生するべき２系統のデータが記録された１枚のマスタディスクを販売することが可能となるので、マルチ再生装置で使用される記録媒体の販売コストを抑制することができるようになる。
【００２６】
また、本実施形態のマルチ再生装置では、マスタディスクに記録されている複写許可回数データを、マスタディスクに記録されているデータを他の記録媒体に複写する毎に更新するとともに、マスタディスクに記録されている複写許可回数データによっては、マスタディスクに記録されているデータを他の記録媒体に複写しないようになっているので、マスタディスクに記録されているデータが不正に複写されるのを防止することができる。
【００２７】
尚、マスタディスクに記録されているデータを他の記録媒体に複写した場合には、複写先の記録媒体に他の記録媒体への複写を禁止することを示すデータを書き込むようにしておいてもよい。このようにすれば、複写先の記録媒体から他の記録媒体への複写を禁止することができるので、マスタディスクに記録されているデータの不正な複写をより確実に防止することができる。
【００２８】
【発明の効果】
以上説明したように、本発明によれば、同時に再生されるべき複数系統のデータが記録された単一の記録媒体を販売することによって、マルチ再生装置で使用される記録媒体の販売コストを抑制することができるようになる。
【図面の簡単な説明】
【図１】  本発明の一実施形態であるマルチ再生装置のブロック図である。
【図２】  本発明の一実施形態であるマルチ再生装置の複写モードにおける動作を示すフローチャートである。
【図３】  マスタディスクについて説明するための図である。
【符号の説明】
１    第１のディスク装填部
２    第２のディスク装填部
３    第１の記録再生部
４    第２の記録再生部
５    第１のバッファ
６    第２のバッファ
７    第１のデコード部
８    第２のデコード部
９    第１のＤ／Ａ変換部
１０    第２のＤ／Ａ変換部
１１    第１の映像／音声分離部
１２    第２の映像／音声分離部
１３    映像合成出力部
１４    音声合成出力部
１５    伸長部
１６    操作部
１７    コントロール部
１８    表示部
【図１】
0003796749.tif 000002
【図２】
0003796749.tif 000003
【図３】
0003796749.tif 000004